(57)【要約】【課題】安価かつ容易に施工することのできる、レンガ等のブロック体により構成する建築物の壁構造のシート面材による補強方法を提供すること。【解決手段】積層するブロック体２と、積層した前記ブロック体２同士を接合して目地３を形成するモルタルと、により構成する建築物の壁構造１において、前記ブロック体２同士の接合部に樹脂製のシート面材４を配置して補強することを特徴とする、ブロック体により構成する建築物の壁構造のシート面材による補強方法。【選択図】図１
2020200582.tif 000002
【特許請求の範囲】
【請求項１】
積層するブロック体と、積層した前記ブロック体同士を接合して目地を形成するモルタルと、により構成する建築物の壁構造において、
前記ブロック体同士の接合部に樹脂製のシート面材を配置して補強することを特徴とする、
ブロック体により構成する建築物の壁構造のシート面材による補強方法。
【請求項２】
請求項１に記載の補強方法において、
前記シート面材は、横方向に延びる前記目地の表面に沿って、上下の前記ブロック体に跨がって配置することを特徴とする、ブロック体により構成する建築物の壁構造のシート面材による補強方法。
【請求項３】
請求項１に記載の補強方法において、
前記シート面材は、縦方向に並ぶ前記目地の表面に沿って、複数層の前記ブロック体に亘って配置することを特徴とする、ブロック体により構成する建築物の壁構造のシート面材による補強方法。
【請求項４】
請求項１に記載の補強方法において、
前記補強シートは、千鳥状に積んだ前記ブロック体の間の前記目地内に、前記ブロック体に沿って階段状に配置することを特徴とする、ブロック体により構成する建築物の壁構造のシート面材による補強方法。
【発明の詳細な説明】
【技術分野】
【０００１】
本発明は、建築物の内外装に用いられる壁構造に関し、特に、ブロック体により構成する壁構造のシート面材による補強方法に関するものである。
【背景技術】
【０００２】
従来、住宅等の建築物の壁構造として、モルタルとブロック体であるレンガを交互に積み重ねて壁を構成するレンガ積み工法が知られている。
レンガは古今東西より使用されているが、モルタル部分の強度が不足しており、我が国での昨今の地震等による被害状況をみると、大きな亀裂が入る場合や、倒壊する場合も見受けられ、従来のレンガ積み工法の耐震性には問題があるのが現状である。
また、アジア・モンスーン地域においては安価であるレンガ積み工法により住宅の外壁を構築する場合が多く、強度を高めて住宅の安全性を確保することは大きな課題となっている。
【発明の概要】
【発明が解決しようとする課題】
【０００３】
レンガ積み工法は、レンガとモルタルの接着力に依存した工法であるため、それぞれの品質によるところが大きく、強度を高めるためには高価な高品質材料を用いる必要があった。
また、低品質な材料を用いた既存の壁構造や、部材が劣化した壁構造も多く、補修により強度を高める技術の開発が求められていた。
【０００４】
本発明は、安価かつ容易に施工することのできる、レンガ等のブロック体により構成する建築物の壁構造のシート面材による補強方法を提供することを目的とする。
【課題を解決するための手段】
【０００５】
上記目的を達成するためになされた本願の第１発明は、積層するブロック体と、積層した前記ブロック体同士を接合して目地を形成するモルタルと、により構成する建築物の壁構造において、前記ブロック体同士の接合部に樹脂製のシート面材を配置して補強することを特徴とする、ブロック体により構成する建築物の壁構造のシート面材による補強方法を提供する。
本願の第２発明は、第１発明の補強方法において、前記シート面材は、横方向に延びる前記目地の表面に沿って、上下の前記ブロック体に跨がって配置することを特徴とする、ブロック体により構成する建築物の壁構造のシート面材による補強方法を提供する。
本願の第３発明は、第１発明の補強方法において、前記シート面材は、縦方向に並ぶ前記目地の表面に沿って、複数層の前記ブロック体に亘って配置することを特徴とする、ブロック体により構成する建築物の壁構造のシート面材による補強方法を提供する。
本願の第４発明は、第１発明の補強方法において、前記補強シートは、千鳥状に積んだ前記ブロック体の間の前記目地内に、前記ブロック体に沿って階段状に配置することを特徴とする、ブロック体により構成する建築物の壁構造のシート面材による補強方法を提供する。
【発明の効果】
【０００６】
本発明は、上記した課題を解決するための手段により、次のような効果の少なくとも一つを得ることができる。
（１）安価なシート面材により、安価に壁構造を補強することができる。
（２）既存の壁構造の表面に、シート面材を設けることにより、既存の壁構造を補強することができる。
（３）低品質なレンガが使用された既存の建造物の壁であっても、大きな変更を加えることなく、安価に補強することができる。
【図面の簡単な説明】
【０００７】
【図１】実施例１にかかる補強方法の説明図
【図２】その他の実施例にかかる補強方法の説明図（１）
【図３】その他の実施例にかかる補強方法の説明図（２）
【発明を実施するための形態】
【０００８】
以下、図に示す実施例に基づき、本発明を詳細に説明する。
【実施例１】
【０００９】
（１）壁構造の補強方法
本発明は、積層して配置するブロック体２と、積層するブロック体２同士を接合するモルタルからなる目地３と、により構成する壁構造１に、シート面材４を配置して補強するものである。
積層したブロック体２の表面には、表面材５を塗布する（図１）。
【００１０】
（２）ブロック体
ブロック体２は直方体に成形された製品であり、レンガやＡＬＣからなる。
ブロック体２は従来知られた積み方により、千鳥状に積層する。
【００１１】
（３）目地
積層するブロック体２の間にはモルタルにより目地３を形成する。
モルタルにより形成した目地３はブロック体２より強度が低いため、本発明は、壁構造１の目地３部分に適宜、シート面材４を配置して補強する。
【００１２】
（４）シート面材
シート面材４は、ポリプロピレン等の樹脂製の２軸〜４軸メッシュシートである。
シート面材４は長尺であり、横方向に延びる目地３の表面に沿って、上下に積層されたブロック体２に跨がって、例えばポリマーモルタルにより貼り付ける。シート面材４は、求められる強度に合わせて、補強する横方向の目地３の間隔を適宜選択して貼り付ける。
シート面材４は軽量で取り扱いが容易であり、貼り付ける際に用いるポリマーモルタルは硬化までの時間を自由度高く調整することができるため、誰でも容易に施工することができる。
また、シート面材４は安価であるため、安価なレンガ積み工法の壁構造１による住宅の外壁の強度を高めて住宅の安全性を確保することができる。
【００１３】
（５）表面材
壁構造１のシート面材４を貼り付けた面は、表面材５により被覆処理を行う。
表面材５はセメント系樹脂モルタルからなり、硬化することによりシート面材４を被覆して保護する他、壁構造１に外的作用力の抵抗・復元力を付与し、ブロック体２の層間変位を抑制する。
【００１４】
（６）既存の建造物の補強
本発明は、ブロック体２をモルタルで積層してある既存のレンガ積み工法の壁構造１の表面に、シート面材４および表面材５を設けることにより壁構造１を補強することができる。
このため、例えば低品質なレンガ等が使用された既存の建造物の壁であっても、大きな変更を加えることなく、安価に補強することができる。
安価なシート面材４を貼り付けて補強することができるため、規模の大きな建造物や補強箇所の多い建造物群であっても、経済的に補強することができ、環境的にも有利である。
【００１５】
［その他の実施例］
上記の実施例においては、シート面材４を横方向に貼り付けたが、壁構造１の縦方向に並ぶ目地３の表面に沿って、複数層のブロック体２に跨がって貼り付けてもよい（図２）。
また、シート面材４は、壁構造１の表面ではなく、目地３の内部に配置してもよい（図３）。シート面材４は、階段状に配置することにより、上下方向および横方向のいずれにもシート面材４が配置されることとなり、強度が高くなる。
【符号の説明】
【００１６】
１        壁構造
２        ブロック体
３        目地
４        シート面材
５        表面材
【図１】
2020200582.tif 000003
【図２】
2020200582.tif 000004
【図３】
2020200582.tif 000005